(57)【要約】【課題】本発明は居眠り防止ステアリングホイールカバーを開示した。【解決手段】ステアリングホイールの左側と右側にそれぞれカバーされた左側カバー殻と右側カバー殻を含み、振動ブロックは通電して振動し始めると、その振動を運転者の手に伝達することができ、サイレンは警報を鳴らして運転者に時間内に起きるように注意することができ、放電ブロックは手を刺激するために断続的に弱い電流を放出することができ、皮膚の導電性を検出することによって、運転者が眠りに落ちるかどうかを判断し、運転者は振動ブロック、警報器および放電ブロックの作用の下で迅速に運転手を目覚め、覚醒機能を能動的に作動させ、眠りに落ちることによって引き起こされる事故を防ぎ、良い社会的調和を促進する。【選択図】図１
2020152361.tif 000002
【特許請求の範囲】
【請求項１】
本発明の実施例の居眠り防止ステアリングホイールカバーは、ステアリングホイールの左側と右側にそれぞれカバーされた左側カバー殻と右側カバー殻を含み、前記左側カバー殻と前記右側カバー殻との中には元気を回復させる眠気覚まし部品が設けられ、前記眠気覚まし部品は振動、警報および電流の刺激機能を持ち、運転者の精神を三つの機能によって刺激し、前記ステアリングホイールには前記左側カバー殻と前記右側カバー殻に電力を供給できる給電カバーがカバーされ、前記給電カバーは前記左側カバー殻を前記右側カバー殻と接続でき、前記右側カバー殻の右側端面の中にはカバー殻磁石が設けられ、前記カバー殻磁石には運転者が睡眠状態にあるかどうかを検出できる検出部品を吸着させることができ、前記検出部品は前記眠気覚まし部品を制御することができることを特徴とする居眠り防止ステアリングホイールカバー。
【請求項２】
前記眠気覚まし部品は前記左側カバー殻の中に位置する六つの均一に分布する振動ブロックを含み、前記右側カバー殻の中には五つの前記振動ブロックが設けられ、前記左側カバー殻の中には信号ブロックが設けられ、前記左側カバー殻の中にはサイレンが設けられ、前記右側カバー殻の中には放電ブロックが設けられ、前記右側カバー殻の中には右に開口したスイッチ溝が設けられ、前記スイッチ溝の中にはボタンがスライドできるように取り付けられ、前記スイッチ溝の頂壁には位置制限溝が設けられ、前記ボタンの頂部端面には位置制限ブロックが設けられ、前記位置制限ブロックは前記位置制限溝とスライドできるように係合され、前記スイッチ溝の左側壁と前記ボタンの左側端面との間にはバネが設けられ、前記スイッチ溝の左側壁には接触スイッチが設けられ、前記右側カバー殻の中に置いて前記カバー殻磁石の下方にはタイマーが設けられ、前記左側カバー殻の中および前記右側カバー殻の中には下に開口した対称的な電気溝が設けられ、これにより、振動ブロックは通電して振動し始めると、その振動を運転者の手に伝達することができ、サイレンは警報を鳴らして運転者に時間内に起きるように注意することができ、放電ブロックは手を刺激するために断続的に弱い電流を放出することができ、運転者が自発的に眠気を感じる場合、ボタンを押すと、ボタンは接触スイッチと接触し、右側カバー殻が振動し始め、同時に、放電ブロックも電流を放出し、タイマーの作用によって三十秒ごとに五秒間作動し、ボタンを再び押すまで停止することを特徴とする請求項１に記載の居眠り防止ステアリングホイールカバー。
【請求項３】
前記検出部品はリングブロックを含み、リングブロックの左端面にはリング磁石が設けられ、前記リング磁石は前記カバー殻磁石と磁気的に係合でき、前記リングブロックの中には前後に貫通するリング孔が設けられ、前記リング孔の内壁には均一に分布する皮膚センサーが設けられ、前記リングブロックの中には電池とチップが設けられ、前記チップはデータ比較を実行することができ且つ信号ブロックとペアリングすることができ、前記リングブロックの中には右に開口した第一充電孔が設けられ、これにより第一充電孔によって電池に充電することができ、利用しない時には、リング磁石をカバー殻磁石に吸着させて置き、利用する時には、指でリング孔を通し、皮膚センサーは指の皮膚と接触した後に皮膚導電率を検出することができ、チップは皮膚センサーによって検出されたデータを事前設定値と比較し、データが異常になった後、信号ブロックによってサイレン、振動ブロックおよび放電ブロックが作動することを特徴とする請求項１に記載の居眠り防止ステアリングホイールカバー。
【請求項４】
前記給電カバーは給電カバー殻を含み、前記給電カバー殻の中には二つの弧形電池が設けられ、前記給電カバー殻の中には下に開口した第二充電孔が設けられ、前記給電カバー殻の左右の両側の端面には対称的な給電ブロックが設けられ、前記給電ブロックは前記電気溝と電気的に係合でき、前記左側カバー殻の中の前記振動ブロックと前記右側カバー殻の中の前記振動ブロックとの間が前記給電カバーによって接続され、前記給電カバー殻の外側には三個のバックルが設けられ、前記バックルはステアリングホイールの周りに巻き付いて留めることができ、これにより給電カバーを取り付ける際には、まず左側カバー殻と右側カバー殻をステアリングホイールにカバーし、それから給電ブロックを電気溝に位置合わせて給電カバー殻をカバーし、バックルをステアリングホイールに巻き付けて留め、給電を始め、第二充電孔によって弧形電池に充電することができることを特徴とする請求項１に記載の居眠り防止ステアリングホイールカバー。
【発明の詳細な説明】
【技術分野】
【０００１】
本発明はステアリングホイールカバー分野を取り上げて、具体的には居眠り防止ステアリングホイールカバーである。
【背景技術】
【０００２】
自動車事故における多くの事故が疲労運転によるもので、運転者は疲労状態にあれば何の症状もなく突然眠りに落ち、事故の原因となり、人が眠っているのか又はほぼ眠っているのかを判断するために、人間の皮膚の導電性を検出するための指輪があり、状況が悪いときに音を出すことができ、しかし、音を出してもドライバーを起こさないかもしれない；運転は常にハンドルを握り、ドライバーが眠りに落ちるのを防ぐステアリングホイールカバーがあれば、事故を大幅に減少することができる。
【先行技術文献】
【特許文献】
【０００３】
【特許文献１】中国特許出願公開第109318979号明細書
【発明の概要】
【発明が解決しようとする課題】
【０００４】
本発明の目的は居眠り防止ステアリングホイールカバーを提供し、それは上記の現在の技術中の問題を解決できる。
【課題を解決するための手段】
【０００５】
本発明の実施例の居眠り防止ステアリングホイールカバーは、ステアリングホイールの左側と右側にそれぞれカバーされた左側カバー殻と右側カバー殻を含み、前記左側カバー殻と前記右側カバー殻との中には元気を回復させる眠気覚まし部品が設けられ、前記眠気覚まし部品は振動、警報および電流の刺激機能を持ち、運転者の精神を三つの機能によって刺激し、前記ステアリングホイールには前記左側カバー殻と前記右側カバー殻に電力を供給できる給電カバーがカバーされ、前記給電カバーは前記左側カバー殻を前記右側カバー殻と接続でき、前記右側カバー殻の右側端面の中にはカバー殻磁石が設けられ、前記カバー殻磁石には運転者が睡眠状態にあるかどうかを検出できる検出部品を吸着させることができ、前記検出部品は前記眠気覚まし部品を制御することができる。
【０００６】
更の技術プラン、前記眠気覚まし部品は前記左側カバー殻の中に位置する六つの均一に分布する振動ブロックを含み、前記右側カバー殻の中には五つの前記振動ブロックが設けられ、前記左側カバー殻の中には信号ブロックが設けられ、前記左側カバー殻の中にはサイレンが設けられ、前記右側カバー殻の中には放電ブロックが設けられ、前記右側カバー殻の中には右に開口したスイッチ溝が設けられ、前記スイッチ溝の中にはボタンがスライドできるように取り付けられ、前記スイッチ溝の頂壁には位置制限溝が設けられ、前記ボタンの頂部端面には位置制限ブロックが設けられ、前記位置制限ブロックは前記位置制限溝とスライドできるように係合され、前記スイッチ溝の左側壁と前記ボタンの左側端面との間にはバネが設けられ、前記スイッチ溝の左側壁には接触スイッチが設けられ、前記右側カバー殻の中に置いて前記カバー殻磁石の下方にはタイマーが設けられ、前記左側カバー殻の中および前記右側カバー殻の中には下に開口した対称的な電気溝が設けられる。
【０００７】
更の技術プラン、前記検出部品はリングブロックを含み、リングブロックの左端面にはリング磁石が設けられ、前記リング磁石は前記カバー殻磁石と磁気的に係合でき、前記リングブロックの中には前後に貫通するリング孔が設けられ、前記リング孔の内壁には均一に分布する皮膚センサーが設けられ、前記リングブロックの中には電池とチップが設けられ、前記チップはデータ比較を実行することができ且つ信号ブロックとペアリングすることができ、前記リングブロックの中には右に開口した第一充電孔が設けられる。
【０００８】
更の技術プラン、前記給電カバーは給電カバー殻を含み、前記給電カバー殻の中には二つの弧形電池が設けられ、前記給電カバー殻の中には下に開口した第二充電孔が設けられ、前記給電カバー殻の左右の両側の端面には対称的な給電ブロックが設けられ、前記給電ブロックは前記電気溝と電気的に係合でき、前記左側カバー殻の中の前記振動ブロックと前記右側カバー殻の中の前記振動ブロックとの間が前記給電カバーによって接続され、前記給電カバー殻の外側には三個のバックルが設けられ、前記バックルはステアリングホイールの周りに巻き付いて留めることができる。
【発明の効果】
【０００９】
本発明の有益的な効果は：本発明は構造が簡単で、操作が便利で、皮膚の導電性を検出することによって、運転者が眠りに落ちるかどうかを判断し、運転者は振動ブロック、警報器および放電ブロックの作用の下で迅速に運転手を目覚め、覚醒機能を能動的に作動させ、眠りに落ちることによって引き起こされる事故を防ぎ、良い社会的調和を促進し、宣伝の価値がある。
【図面の簡単な説明】
【００１０】
【図１】図１は本発明の全体構成略図である；
【図２】図２は左側カバー殻と右側カバー殻の構成略図である；
【図３】図３は検出部品の構成略図である；
【図４】図４は図２のＡの拡大構成略図である。
【発明を実施するための形態】
【００１１】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１２】
図１-４を参照し、本発明の実施例の居眠り防止ステアリングホイールカバーは、ステアリングホイール１１の左側と右側にそれぞれカバーされた左側カバー殻１０と右側カバー殻１７を含み、前記左側カバー殻１０と前記右側カバー殻１７との中には元気を回復させる眠気覚まし部品９０１が設けられ、前記眠気覚まし部品９０１は振動、警報および電流の刺激機能を持ち、運転者の精神を三つの機能によって刺激し、前記ステアリングホイール１１には前記左側カバー殻１０と前記右側カバー殻１７に電力を供給できる給電カバー９０２がカバーされ、前記給電カバー９０２は前記左側カバー殻１０を前記右側カバー殻１７と接続でき、前記右側カバー殻１７の右側端面の中にはカバー殻磁石２３が設けられ、前記カバー殻磁石２３には運転者が睡眠状態にあるかどうかを検出できる検出部品９０３を吸着させることができ、前記検出部品９０３は前記眠気覚まし部品９０１を制御することができ、これにより前記眠気覚まし部品９０１を作動させ、運転者を眠りに落ちる状態から解放する。
【００１３】
前記眠気覚まし部品９０１は前記左側カバー殻１０の中に位置する六つの均一に分布する振動ブロック２２を含み、前記右側カバー殻１７の中には五つの前記振動ブロック２２が設けられ、前記左側カバー殻１０の中には信号ブロック１８が設けられ、前記左側カバー殻１０の中にはサイレン２０が設けられ、前記右側カバー殻１７の中には放電ブロック４０が設けられ、前記右側カバー殻１７の中には右に開口したスイッチ溝３４が設けられ、前記スイッチ溝３４の中にはボタン３３がスライドできるように取り付けられ、前記スイッチ溝３４の頂壁には位置制限溝３７が設けられ、前記ボタン３３の頂部端面には位置制限ブロック３８が設けられ、前記位置制限ブロック３８は前記位置制限溝３７とスライドできるように係合され、前記スイッチ溝３４の左側壁と前記ボタン３３の左側端面との間にはバネ３６が設けられ、前記スイッチ溝３４の左側壁には接触スイッチ３５が設けられ、前記右側カバー殻１７の中に置いて前記カバー殻磁石２３の下方にはタイマー３２が設けられ、前記左側カバー殻１０の中および前記右側カバー殻１７の中には下に開口した対称的な電気溝２１が設けられ、これにより、振動ブロック２２は通電して振動し始めると、その振動を運転者の手に伝達することができ、サイレン２０は警報を鳴らして運転者に時間内に起きるように注意することができ、放電ブロック４０は手を刺激するために断続的に弱い電流を放出することができ、運転者が自発的に眠気を感じる場合、ボタン３３を押すと、ボタン３３は接触スイッチ３５と接触し、右側カバー殻１７が振動し始め、同時に、放電ブロック４０も電流を放出し、タイマー３２の作用によって、ボタン３３を再び押すまで三十秒ごとに五秒間作動する。
【００１４】
前記検出部品９０３はリングブロック２５を含み、リングブロック２５の左端面にはリング磁石２４が設けられ、前記リング磁石２４は前記カバー殻磁石２３と磁気的に係合でき、前記リングブロック２５の中には前後に貫通するリング孔２７が設けられ、前記リング孔２７の内壁には均一に分布する皮膚センサー２６が設けられ、前記リングブロック２５の中には電池３０とチップ２８が設けられ、前記チップ２８はデータ比較を実行することができ且つ信号ブロック１８とペアリングすることができ、前記リングブロック２５の中には右に開口した第一充電孔３１が設けられ、これにより第一充電孔３１によって電池３０に充電することができ、利用しない時には、リング磁石２４をカバー殻磁石２３に吸着させて置き、利用する時には、指でリング孔２７を通し、皮膚センサー２６は指の皮膚と接触した後に皮膚導電率を検出することができ、チップ２８は皮膚センサー２６によって検出されたデータを事前設定値と比較し、データが異常になった後、信号ブロック１８によってサイレン２０、振動ブロック２２および放電ブロック４０が作動し、データが安定するまで停止する。
【００１５】
前記給電カバー９０２は給電カバー殻１５を含み、前記給電カバー殻１５の中には二つの弧形電池１２が設けられ、前記給電カバー殻１５の中には下に開口した第二充電孔１４が設けられ、前記給電カバー殻１５の左右の両側の端面には対称的な給電ブロック１６が設けられ、前記給電ブロック１６は前記電気溝２１と電気的に係合でき、前記左側カバー殻１０の中の前記振動ブロック２２と前記右側カバー殻１７の中の前記振動ブロック２２との間が前記給電カバー９０２によって接続され、前記給電カバー殻１５の外側には三個のバックル１３が設けられ、前記バックル１３はステアリングホイール１１の周りに巻き付いて留めることができ、これにより給電カバー９０２を取り付ける際には、まず左側カバー殻１０と右側カバー殻１７をステアリングホイール１１にカバーし、それから給電ブロック１６を電気溝２１に位置合わせて給電カバー殻１５をカバーし、バックル１３をステアリングホイール１１に巻き付けて留め、給電を始め、第二充電孔１４によって弧形電池１２に充電することができる。
【００１６】
給電カバー９０２を取り付ける際には、まず左側カバー殻１０と右側カバー殻１７をステアリングホイール１１にカバーして、それから給電ブロック１６を電気溝２１に位置合わせて給電カバー殻１５をカバーし、バックル１３をステアリングホイール１１に巻き付けて留め、給電を始め、指でリング孔２７を通し、皮膚センサー２６は指の皮膚と接触した後に皮膚導電率を検出することができ、チップ２８は皮膚センサー２６によって検出されたデータを事前設定値と比較し、データが異常になった後、信号ブロック１８によってサイレン２０、振動ブロック２２および放電ブロック４０が作動され、振動ブロック２２は通電して振動し始めると、その振動を運転者の手に伝達することができ、サイレン２０は警報を鳴らして運転者に時間内に起きるように注意することができ、放電ブロック４０は手を刺激するために断続的に弱い電流を放出することができ、運転者が目覚めた後にデータが安定になり、サイレン２０、右側カバー殻１７および排放電ブロック４０が停止する。
【００１７】
運転者が自発的に眠気を感じる場合、ボタン３３を押すと、ボタン３３は接触スイッチ３５と接触し、右ケーシング１７が振動し始め、同時に、放電ブロック４０も電流を放出し、タイマー３２の作用によってボタン３３が再び押すまで三十秒ごとに五秒間作動する。
【００１８】
本発明の有益な効果は：本発明は構造が簡単で、操作が便利で、皮膚の導電性を検出することによって、運転者が眠りに落ちるかどうかを判断し、運転者は振動ブロック、警報器および放電ブロックの作用の下で迅速に運転手を目覚め、覚醒機能を能動的に作動させ、眠りに落ちることによって引き起こされる事故を防ぎ、良い社会的調和を促進し、宣伝の価値がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020152361.tif 000003
【図２】
2020152361.tif 000004
【図３】
2020152361.tif 000005
【図４】
2020152361.tif 000006
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
ステアリングホイールの左側と右側にそれぞれカバーされた左側カバー殻と右側カバー殻を含み、前記左側カバー殻と前記右側カバー殻との中には元気を回復させる眠気覚まし部品が設けられ、前記眠気覚まし部品は振動、警報および電流の刺激機能を持ち、運転者の精神を三つの機能によって刺激し、前記ステアリングホイールには前記左側カバー殻と前記右側カバー殻に電力を供給できる給電カバーがカバーされ、前記給電カバーは前記左側カバー殻を前記右側カバー殻と接続でき、前記右側カバー殻の右側端面の中にはカバー殻磁石が設けられ、前記カバー殻磁石には運転者が睡眠状態にあるかどうかを検出できる検出部品を吸着させることができ、前記検出部品は前記眠気覚まし部品を制御することができ、
前記眠気覚まし部品は前記左側カバー殻の中に位置する六つの均一に分布する振動ブロックを含み、前記右側カバー殻の中には五つの前記振動ブロックが設けられ、前記左側カバー殻の中には信号ブロックが設けられ、前記左側カバー殻の中にはサイレンが設けられ、前記右側カバー殻の中には放電ブロックが設けられ、前記右側カバー殻の中には右に開口したスイッチ溝が設けられ、前記スイッチ溝の中にはボタンがスライドできるように取り付けられ、前記スイッチ溝の頂壁には位置制限溝が設けられ、前記ボタンの頂部端面には位置制限ブロックが設けられ、前記位置制限ブロックは前記位置制限溝とスライドできるように係合され、前記スイッチ溝の左側壁と前記ボタンの左側端面との間にはバネが設けられ、前記スイッチ溝の左側壁には接触スイッチが設けられ、前記右側カバー殻の中に置いて前記カバー殻磁石の下方にはタイマーが設けられ、前記左側カバー殻の中および前記右側カバー殻の中には下に開口した対称的な電気溝が設けられ、これにより、振動ブロックは通電して振動し始めると、その振動を運転者の手に伝達することができ、サイレンは警報を鳴らして運転者に時間内に起きるように注意することができ、放電ブロックは手を刺激するために断続的に弱い電流を放出することができ、運転者が眠気を感じる場合、自発的にボタンを押すと、ボタンは接触スイッチと接触し、右側カバー殻が振動し始め、同時に、放電ブロックも電流を放出し、タイマーの作用によって三十秒ごとに五秒間作動し、ボタンを再び押すまで停止し、
前記検出部品はリングブロックを含み、リングブロックの左端面にはリング磁石が設けられ、前記リング磁石は前記カバー殻磁石と磁気的に係合でき、前記リングブロックの中には前後に貫通するリング孔が設けられ、前記リング孔の内壁には均一に分布する皮膚センサーが設けられ、前記リングブロックの中には電池とチップが設けられ、前記チップはデータ比較を実行することができ且つ信号ブロックとペアリングすることができ、前記リングブロックの中には右に開口した第一充電孔が設けられ、これにより第一充電孔によって電池に充電することができ、利用しない時には、リング磁石をカバー殻磁石に吸着させて置き、利用する時には、指でリング孔を通し、皮膚センサーは指の皮膚と接触した後に皮膚導電率を検出することができ、チップは皮膚センサーによって検出されたデータを事前設定値と比較し、データが異常になった後、信号ブロックによってサイレン、振動ブロックおよび放電ブロックが作動し、
前記給電カバーは給電カバー殻を含み、前記給電カバー殻の中には二つの弧形電池が設けられ、前記給電カバー殻の中には下に開口した第二充電孔が設けられ、前記給電カバー殻の左右の両側の端面には対称的な給電ブロックが設けられ、前記給電ブロックは前記電気溝と電気的に係合でき、前記左側カバー殻の中の前記振動ブロックと前記右側カバー殻の中の前記振動ブロックとの間が前記給電カバーによって接続され、前記給電カバー殻の外側には三個のバックルが設けられ、前記バックルはステアリングホイールの周りに巻き付いて留めることができ、これにより給電カバーを取り付ける際には、まず左側カバー殻と右側カバー殻をステアリングホイールにカバーし、それから給電ブロックを電気溝に位置合わせて給電カバー殻をカバーし、バックルをステアリングホイールに巻き付けて留め、給電を始め、第二充電孔によって弧形電池に充電することができることを特徴とする居眠り防止ステアリングホイールカバー。
【手続補正２】
【補正対象書類名】明細書
【補正対象項目名】全文
【補正方法】変更
【補正の内容】
【発明の詳細な説明】
【技術分野】
【０００１】
本発明はステアリングホイールカバー分野を取り上げて、具体的には居眠り防止ステアリングホイールカバーである。
【背景技術】
【０００２】
自動車事故における多くの事故が疲労運転によるもので、運転者は疲労状態にあれば何の症状もなく突然眠りに落ち、事故の原因となり、人が眠っているのか又はほぼ眠っているのかを判断するために、人間の皮膚の導電性を検出するための指輪があり、状況が悪いときに音を出すことができ、しかし、音を出してもドライバーを起こさないかもしれない。運転は常にハンドルを握り、ドライバーが眠りに落ちるのを防ぐステアリングホイールカバーがあれば、事故を大幅に減少することができる。
【先行技術文献】
【特許文献】
【０００３】
【特許文献１】中国特許出願公開第１０９３１８９７９号明細書
【発明の概要】
【発明が解決しようとする課題】
【０００４】
本発明の目的は居眠り防止ステアリングホイールカバーを提供し、それは上記の現在の技術中の問題を解決できる。
【課題を解決するための手段】
【０００５】
本発明の実施例の居眠り防止ステアリングホイールカバーは、ステアリングホイールの左側と右側にそれぞれカバーされた左側カバー殻と右側カバー殻を含み、前記左側カバー殻と前記右側カバー殻との中には元気を回復させる眠気覚まし部品が設けられ、前記眠気覚まし部品は振動、警報および電流の刺激機能を持ち、運転者の精神を三つの機能によって刺激し、前記ステアリングホイールには前記左側カバー殻と前記右側カバー殻に電力を供給できる給電カバーがカバーされ、前記給電カバーは前記左側カバー殻を前記右側カバー殻と接続でき、前記右側カバー殻の右側端面の中にはカバー殻磁石が設けられ、前記カバー殻磁石には運転者が睡眠状態にあるかどうかを検出できる検出部品を吸着させることができ、前記検出部品は前記眠気覚まし部品を制御することができる。
【０００６】
更の技術プラン、前記眠気覚まし部品は前記左側カバー殻の中に位置する六つの均一に分布する振動ブロックを含み、前記右側カバー殻の中には五つの前記振動ブロックが設けられ、前記左側カバー殻の中には信号ブロックが設けられ、前記左側カバー殻の中にはサイレンが設けられ、前記右側カバー殻の中には放電ブロックが設けられ、前記右側カバー殻の中には右に開口したスイッチ溝が設けられ、前記スイッチ溝の中にはボタンがスライドできるように取り付けられ、前記スイッチ溝の頂壁には位置制限溝が設けられ、前記ボタンの頂部端面には位置制限ブロックが設けられ、前記位置制限ブロックは前記位置制限溝とスライドできるように係合され、前記スイッチ溝の左側壁と前記ボタンの左側端面との間にはバネが設けられ、前記スイッチ溝の左側壁には接触スイッチが設けられ、前記右側カバー殻の中に置いて前記カバー殻磁石の下方にはタイマーが設けられ、前記左側カバー殻の中および前記右側カバー殻の中には下に開口した対称的な電気溝が設けられる。
【０００７】
更の技術プラン、前記検出部品はリングブロックを含み、リングブロックの左端面にはリング磁石が設けられ、前記リング磁石は前記カバー殻磁石と磁気的に係合でき、前記リングブロックの中には前後に貫通するリング孔が設けられ、前記リング孔の内壁には均一に分布する皮膚センサーが設けられ、前記リングブロックの中には電池とチップが設けられ、前記チップはデータ比較を実行することができ且つ信号ブロックとペアリングすることができ、前記リングブロックの中には右に開口した第一充電孔が設けられる。
【０００８】
更の技術プラン、前記給電カバーは給電カバー殻を含み、前記給電カバー殻の中には二つの弧形電池が設けられ、前記給電カバー殻の中には下に開口した第二充電孔が設けられ、前記給電カバー殻の左右の両側の端面には対称的な給電ブロックが設けられ、前記給電ブロックは前記電気溝と電気的に係合でき、前記左側カバー殻の中の前記振動ブロックと前記右側カバー殻の中の前記振動ブロックとの間が前記給電カバーによって接続され、前記給電カバー殻の外側には三個のバックルが設けられ、前記バックルはステアリングホイールの周りに巻き付いて留めることができる。
【発明の効果】
【０００９】
本発明の有益的な効果は：本発明は構造が簡単で、操作が便利で、皮膚の導電性を検出することによって、運転者が眠りに落ちるかどうかを判断し、運転者は振動ブロック、警報器および放電ブロックの作用の下で迅速に運転手を目覚め、覚醒機能を能動的に作動させ、眠りに落ちることによって引き起こされる事故を防ぎ、良い社会的調和を促進し、宣伝の価値がある。
【図面の簡単な説明】
【００１０】
【図１】図１は本発明の全体構成略図である
【図２】図２は左側カバー殻と右側カバー殻の構成略図である
【図３】図３は検出部品の構成略図である
【図４】図４は図２のＡの拡大構成略図である
【発明を実施するための形態】
【００１１】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−４を参照し、本発明の実施例の居眠り防止ステアリングホイールカバーは、ステアリングホイール１１の左側と右側にそれぞれカバーされた左側カバー殻１０と右側カバー殻１７を含み、前記左側カバー殻１０と前記右側カバー殻１７との中には元気を回復させる眠気覚まし部品９０１が設けられ、前記眠気覚まし部品９０１は振動、警報および電流の刺激機能を持ち、運転者の精神を三つの機能によって刺激し、前記ステアリングホイール１１には前記左側カバー殻１０と前記右側カバー殻１７に電力を供給できる給電カバー９０２がカバーされ、前記給電カバー９０２は前記左側カバー殻１０を前記右側カバー殻１７と接続でき、前記右側カバー殻１７の右側端面の中にはカバー殻磁石２３が設けられ、前記カバー殻磁石２３には運転者が睡眠状態にあるかどうかを検出できる検出部品９０３を吸着させることができ、前記検出部品９０３は前記眠気覚まし部品９０１を制御することができ、これにより前記眠気覚まし部品９０１を作動させ、運転者を眠りに落ちる状態から解放する。
【００１３】
前記眠気覚まし部品９０１は前記左側カバー殻１０の中に位置する六つの均一に分布する振動ブロック２２を含み、前記右側カバー殻１７の中には五つの前記振動ブロック２２が設けられ、前記左側カバー殻１０の中には信号ブロック１８が設けられ、前記左側カバー殻１０の中にはサイレン２０が設けられ、前記右側カバー殻１７の中には放電ブロック４０が設けられ、前記右側カバー殻１７の中には右に開口したスイッチ溝３４が設けられ、前記スイッチ溝３４の中にはボタン３３がスライドできるように取り付けられ、前記スイッチ溝３４の頂壁には位置制限溝３７が設けられ、前記ボタン３３の頂部端面には位置制限ブロック３８が設けられ、前記位置制限ブロック３８は前記位置制限溝３７とスライドできるように係合され、前記スイッチ溝３４の左側壁と前記ボタン３３の左側端面との間にはバネ３６が設けられ、前記スイッチ溝３４の左側壁には接触スイッチ３５が設けられ、前記右側カバー殻１７の中に置いて前記カバー殻磁石２３の下方にはタイマー３２が設けられ、前記左側カバー殻１０の中および前記右側カバー殻１７の中には下に開口した対称的な電気溝２１が設けられ、これにより、振動ブロック２２は通電して振動し始めると、その振動を運転者の手に伝達することができ、サイレン２０は警報を鳴らして運転者に時間内に起きるように注意することができ、放電ブロック４０は手を刺激するために断続的に弱い電流を放出することができ、運転者が眠気を感じる場合、自発的にボタン３３を押すと、ボタン３３は接触スイッチ３５と接触し、右側カバー殻１７が振動し始め、同時に、放電ブロック４０も電流を放出し、タイマー３２の作用によって、ボタン３３を再び押すまで三十秒ごとに五秒間作動する。
【００１４】
前記検出部品９０３はリングブロック２５を含み、リングブロック２５の左端面にはリング磁石２４が設けられ、前記リング磁石２４は前記カバー殻磁石２３と磁気的に係合でき、前記リングブロック２５の中には前後に貫通するリング孔２７が設けられ、前記リング孔２７の内壁には均一に分布する皮膚センサー２６が設けられ、前記リングブロック２５の中には電池３０とチップ２８が設けられ、前記チップ２８はデータ比較を実行することができ且つ信号ブロック１８とペアリングすることができ、前記リングブロック２５の中には右に開口した第一充電孔３１が設けられ、これにより第一充電孔３１によって電池３０に充電することができ、利用しない時には、リング磁石２４をカバー殻磁石２３に吸着させて置き、利用する時には、指でリング孔２７を通し、皮膚センサー２６は指の皮膚と接触した後に皮膚導電率を検出することができ、チップ２８は皮膚センサー２６によって検出されたデータを事前設定値と比較し、データが異常になった後、信号ブロック１８によってサイレン２０、振動ブロック２２および放電ブロック４０が作動し、データが安定するまで停止する。
【００１５】
前記給電カバー９０２は給電カバー殻１５を含み、前記給電カバー殻１５の中には二つの弧形電池１２が設けられ、前記給電カバー殻１５の中には下に開口した第二充電孔１４が設けられ、前記給電カバー殻１５の左右の両側の端面には対称的な給電ブロック１６が設けられ、前記給電ブロック１６は前記電気溝２１と電気的に係合でき、前記左側カバー殻１０の中の前記振動ブロック２２と前記右側カバー殻１７の中の前記振動ブロック２２との間が前記給電カバー９０２によって接続され、前記給電カバー殻１５の外側には三個のバックル１３が設けられ、前記バックル１３はステアリングホイール１１の周りに巻き付いて留めることができ、これにより給電カバー９０２を取り付ける際には、まず左側カバー殻１０と右側カバー殻１７をステアリングホイール１１にカバーし、それから給電ブロック１６を電気溝２１に位置合わせて給電カバー殻１５をカバーし、バックル１３をステアリングホイール１１に巻き付けて留め、給電を始め、第二充電孔１４によって弧形電池１２に充電することができる。
【００１６】
給電カバー９０２を取り付ける際には、まず左側カバー殻１０と右側カバー殻１７をステアリングホイール１１にカバーして、それから給電ブロック１６を電気溝２１に位置合わせて給電カバー殻１５をカバーし、バックル１３をステアリングホイール１１に巻き付けて留め、給電を始め、指でリング孔２７を通し、皮膚センサー２６は指の皮膚と接触した後に皮膚導電率を検出することができ、チップ２８は皮膚センサー２６によって検出されたデータを事前設定値と比較し、データが異常になった後、信号ブロック１８によってサイレン２０、振動ブロック２２および放電ブロック４０が作動され、振動ブロック２２は通電して振動し始めると、その振動を運転者の手に伝達することができ、サイレン２０は警報を鳴らして運転者に時間内に起きるように注意することができ、放電ブロック４０は手を刺激するために断続的に弱い電流を放出することができ、運転者が目覚めた後にデータが安定になり、サイレン２０、右側カバー殻１７および排放電ブロック４０が停止する。
【００１７】
運転者が眠気を感じる場合、自発的にボタン３３を押すと、ボタン３３は接触スイッチ３５と接触し、右ケーシング１７が振動し始め、同時に、放電ブロック４０も電流を放出し、タイマー３２の作用によってボタン３３が再び押すまで三十秒ごとに五秒間作動する。
【００１８】
本発明の有益な効果は：本発明は構造が簡単で、操作が便利で、皮膚の導電性を検出することによって、運転者が眠りに落ちるかどうかを判断し、運転者は振動ブロック、警報器および放電ブロックの作用の下で迅速に運転手を目覚め、覚醒機能を能動的に作動させ、眠りに落ちることによって引き起こされる事故を防ぎ、良い社会的調和を促進し、宣伝の価値がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。